(57)【要約】【課題】部材点数の削減を図って、容易にして安価に製造することのできるルーズリーフ綴具を提供する。【解決手段】この発明のルーズリーフ綴具１は、少なくとも一方の基板２ａの裏面Ｂに、該裏面Ｂから間隔をおいて前記基板２ａと平行に延びる一本以上の両端固定シャフト５を一体に設けるとともに、他方の基板２ｂの裏面Ｂで、前記一方の基板２ａの前記両端固定シャフト５に隣接する位置に、該両端固定シャフト５の周囲を該両端固定シャフト５の周方向の一部を除いて取り囲む一個以上のシャフト把持部６を一体に設け、前記シャフト把持部６で把持させた前記両端固定シャフト５の周りで、二枚の基板２ａ、２ｂを回動変位可能としてなるものである。【選択図】図１
2015199301.tif 000002
【特許請求の範囲】
【請求項１】
互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、それぞれの先端部が互いに離隔する開放位置との間で移動可能としたルーズリーフ綴具であって、
少なくとも一方の基板の裏面に、該裏面から間隔をおいて前記基板と平行に延びる一本以上の両端固定シャフトを一体に設けるとともに、他方の基板の裏面で、前記一方の基板の前記両端固定シャフトに隣接する位置に、該両端固定シャフトの周囲を該両端固定シャフトの周方向の一部を除いて取り囲む一個以上のシャフト把持部を一体に設け、前記シャフト把持部で把持させた前記両端固定シャフトの周りで、二枚の基板を回動変位可能としてなる、ルーズリーフ綴具。
【請求項２】
前記シャフト把持部を筒状とし、該筒状のシャフト把持部の側壁に、該シャフト把持部の軸線方向の全長にわたるスリットを設け、該スリットを介して、前記両端固定シャフトが前記シャフト把持部に嵌め込まれてなる、請求項１に記載のルーズリーフ綴具。
【請求項３】
前記一方の基板に、両端固定シャフト及びシャフト把持部のそれぞれを設け、前記他方の基板に、前記一方の基板の両端固定シャフト及びシャフト把持部のそれぞれと係合させたシャフト把持部及び両端固定シャフトのそれぞれを設けてなる、請求項１又は２に記載のルーズリーフ綴具。
【請求項４】
各基板に前記半リング部分を一体に形成してなるプレート部材の二個を組み合わせて構成される、請求項１〜３のいずれか一項に記載のルーズリーフ綴具。
【請求項５】
前記基板の裏面側に、二枚の基板の相互を、対をなす前記半リング部分が互いに離隔する方向に付勢する弾性部材を配置し、前記一方の基板及び前記他方の基板のそれぞれに、それらの基板を隣り合わせに配置した姿勢で、該基板の長手方向に沿って互いに対向する向きに延びて前記弾性部材を位置決め保持する位置決めロッドのそれぞれを一体に設けてなる、請求項１〜４のいずれか一項に記載のルーズリーフ綴具。
【請求項６】
前記弾性部材を、二枚の基板の相互を付勢する脚部を有するコイルばねとしてなる、請求項５に記載のルーズリーフ綴具。
【請求項７】
二枚の基板のそれぞれの表面に、基板の回動変位を対をなす半リング部分の閉鎖位置で拘束する一箇所以上のプレートロック手段を設けてなる、請求項１〜６のいずれか一項に記載のルーズリーフ綴具。
【請求項８】
少なくとも一方の基板の裏面に、前記両端固定シャフトのそれぞれの端部が一体的に固定される二個以上の隆起部を一体に設けてなる、請求項１〜７のいずれか一項に記載のルーズリーフ綴具。
【請求項９】
一方の基板側及び／又は他方の基板側の前記隆起部及び／又は前記シャフト把持部の外周面に、該外周面から突出して、半リング部分の開放位置で他方の基板又は一方の基板の裏面に当接するストッパー凸部を一箇所以上設けてなる、請求項８に記載のルーズリーフ綴具。
【請求項１０】
前記シャフト把持部又は前記隆起部の端面に、該端面から突出する突起部分を設け、該突起部分を設けた前記シャフト把持部又は前記隆起部に隣接する隆起部又はシャフト把持部の、前記突起部分に対向する端面に、半リング部分の閉鎖位置で前記突起部分に係合する突起係合部分を設けてなる、請求項８又は９に記載のルーズリーフ綴具。
【発明の詳細な説明】
【技術分野】
【０００１】
この発明は、互いに平行な二枚の基板が相対的に回動変位することにより、各基板に形成した複数対の半リング部分を、それらのそれぞれの先端部が互いに近接してリング形状をなす閉鎖位置と、それぞれの先端部が互いに離隔する開放位置との間で移動可能に構成してなるルーズリーフ綴具に関するものであり、特には、両基板の相互を所要の強度で連結しつつ、部材点数の低減による生産性の向上及び製造コストの削減に寄与することのできる技術を提案するものである。
【背景技術】
【０００２】
この種のルーズリーフ綴具としては、たとえば特許文献１に記載されたような、図１５に示すもの等がある。
図１５（ａ）及び（ｂ）に示すルーズリーフ綴具１００は、互いに平行に配置した二枚の基板１０１ａ、１０１ｂと、それらの各基板１０１ａ、１０１ｂの外側部に形成されて、該基板１０１ａ、１０１ｂの表面側に延びる複数対の半リング部分１０２ａ及び１０２ｂと、各基板１０１ａ、１０１ｂの裏面側に、各基板１０１ａ、１０１ｂと一体に設けられて、たとえば基板１０１ａ、１０１ｂの長手方向に交互に配置した軸受け筒部１０３ａ及び１０３ｂと、それらの軸受け筒部１０３ａ及び１０３ｂの内側を、基板１０１ａ、１０１ｂの略全長にわたって延びる金属製等の一本の軸部材１０４とを具えるものである。
【０００３】
このルーズリーフ綴具１００では、各基板１０１ａ、１０１ｂに設けた略筒状の軸受け筒部１０３ａ、１０３ｂを、一本の軸部材１０４を全周にわたって取り囲んで設けることとし、この軸部材１０４の周りで基板１０１ａ及び１０１ｂを回動変位させることにより、各基板１０１ａ及び１０１ｂの対をなす半リング部分１０２ａ及び１０２ｂの相互を離隔・接近させることができる。それにより、ルーズリーフ綴具１００に対する用紙の着脱及び、用紙の綴じ込みが可能になる。
【０００４】
なお、図１５に示すルーズリーフ綴具１００では、上述したような半リング部分１０２ａ及び１０２ｂの開閉操作を容易に行わせるため、基板１０１ａ、１０１ｂの裏面側で、基板１０１ａ、１０１ｂの長手方向の中央域に、基板１０１ａ及び１０１ｂの相互を長手方向に付勢する弾性部材１０５を設け、また、対をなす半リング部分１０２ａ及び１０２ｂを閉鎖位置で拘束する、図示しないロック手段を設けることができる。
【先行技術文献】
【特許文献】
【０００５】
【特許文献１】特開２０１４−４６９５号公報
【発明の概要】
【発明が解決しようとする課題】
【０００６】
ところで、上記のルーズリーフ綴具１００では、基板１０１ａ及び１０１ｂの回動変位を可能にするため、基板１０１ａ及び１０１ｂのそれぞれの軸受け筒部１０３ａ及び１０３ｂに挿入されて基板１０１ａ、１０１ｂの略全長にわたる長さを有する金属製等の軸部材１０４を、基板１０１ａ、１０１ｂとは別個の部材として設けている。
【０００７】
このことに起因して、ルーズリーフ綴具１００を製造するに当っては、一方の基板１０１ａ及び軸受け筒部１０３ａを含むプレート部材１０６ａと、他方の基板１０１ｂ及び軸受け筒部１０３ｂを含むプレート部材１０６ｂを、射出成形等によって形成した後、それらのプレート部材１０６ａ及び１０６ｂを、軸部材１０４とともに組み立てることを要する。それにより、軸部材１０４が必要となる分、部材点数が多くなり、たとえば大量生産する場合、特に組立時の製造能率の低下を招くという問題があった。
加えて、金属製等の軸部材１０４を予め別途製造することから、材料費が嵩むという問題もある。
【０００８】
この発明は、従来技術が抱えるこのような問題を解決することを課題とするものであり、それの目的とするところは、基板の回動変位を実現するため、基板とは別個の部材として設けていた軸部材を不要とし、それにより、部材点数の削減を図って、容易にして安価に製造することのできるルーズリーフ綴具を提供することにある。
【課題を解決するための手段】
【０００９】
この発明のルーズリーフ綴具は、互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、それぞれの先端部が互いに離隔する開放位置との間で移動可能としたものであって、少なくとも一方の基板の裏面に、該裏面から間隔をおいて前記基板と平行に延びる一本以上の両端固定シャフトを一体に設けるとともに、他方の基板の裏面で、前記一方の基板の前記両端固定シャフトに隣接する位置に、該両端固定シャフトの周囲を該両端固定シャフトの周方向の一部を除いて取り囲む一個以上のシャフト把持部を一体に設け、前記シャフト把持部で把持させた前記両端固定シャフトの周りで、二枚の基板を回動変位可能としてなるものである。
【００１０】
ここで、上記のシャフト把持部は具体的には筒状をなすものであって、その筒状のシャフト把持部の側壁に、該シャフト把持部の軸線方向の全長にわたるスリットを設けたものとし、このスリットを介して、前記両端固定シャフトが前記シャフト把持部に嵌め込まれることが好ましい。
【００１１】
またここで、前記一方の基板に、両端固定シャフト及びシャフト把持部のそれぞれを設け、前記他方の基板に、前記一方の基板の両端固定シャフト及びシャフト把持部のそれぞれと係合させたシャフト把持部及び両端固定シャフトのそれぞれを設けることが好ましい。
そしてまた、この発明のルーズリーフ綴具は、各基板に前記半リング部分を一体に形成してなるプレート部材の二個を組み合わせて構成されるものとすることが好ましい。
【００１２】
なお、このルーズリーフ綴具では、前記基板の裏面側に、二枚の基板の相互を、対をなす前記半リング部分が互いに離隔する方向に付勢する弾性部材を配置し、前記一方の基板及び前記他方の基板のそれぞれに、それらの基板を隣り合わせに配置した姿勢で、該基板の長手方向に沿って互いに対向する向きに延びて前記弾性部材を位置決め保持する位置決めロッドのそれぞれを一体に設けることが好ましい。
この場合においては、前記弾性部材を、二枚の基板の相互を付勢する脚部を有するコイルばね、いわゆるねじりコイルばねとすることがより一層好適である。
【００１３】
また、このルーズリーフ綴具では、二枚の基板のそれぞれの表面に、基板の回動変位を対をなす半リング部分の閉鎖位置で拘束する一箇所以上のプレートロック手段を設けることが好ましい。
【００１４】
以上に述べたいずれかのルーズリーフ綴具では、少なくとも一方の基板の裏面に、前記両端固定シャフトのそれぞれの端部が一体的に固定される二個以上の隆起部を一体に設けることが好ましい。
この場合、一方の基板側及び／又は他方の基板側の前記隆起部及び／又は前記シャフト把持部の外周面に、該外周面から突出して、半リング部分の開放位置で他方の基板又は一方の基板の裏面に当接するストッパー凸部を一箇所以上設けることが好適である。
またこの場合、前記シャフト把持部又は前記隆起部の端面に、該端面から突出する突起部分を設け、そして、該突起部分を設けた前記シャフト把持部又は前記隆起部に隣接する隆起部又はシャフト把持部の、前記突起部分に対向する端面に、半リング部分の閉鎖位置で前記突起部分に係合する突起係合部分を設けることが好ましい。
【発明の効果】
【００１５】
この発明のルーズリーフ綴具によれば、少なくとも一方の基板の裏面に、両端固定シャフトを一体に設けるとともに、他方の基板の裏面で、前記両端固定シャフトの配設位置と対応する位置に、両端固定シャフトを周方向の一部を除いて取り囲むシャフト把持部を一体に設けたことにより、金属製等の軸部材を用いることなしに、基板同士を所要の強さで連結しつつ、シャフト把持部が把持する両端固定シャフトの周りでの、基板の相対的な回動変位を可能になって、従来技術のような、別個の部材としての軸部材の配設が不要となるので、部材点数を有効に減らして、製造能率を向上させるとともに、製造コストを小さく抑えることができる。
【図面の簡単な説明】
【００１６】
【図１】この発明の一の実施形態に係るルーズリーフ綴具を示す斜視図である。
【図２】図１のルーズリーフ綴具の正面図及び側面図である。
【図３】図２（ｂ）のＩＩＩ―ＩＩＩ線に沿う拡大断面図である。
【図４】図１のルーズリーフ綴具が有する一方の基板だけを示す斜視図である。
【図５】図１のルーズリーフ綴具が有する他方の基板だけを示す正面図及び側面図である。
【図６】図１のルーズリーフ綴具が有する弾性部材を示す正面図及び平面図である。
【図７】図１のルーズリーフ綴具の長手方向の中央域を、半リング部分が開放位置に移動した状態で示す拡大正面図である。
【図８】この発明のルーズリーフ綴具に設けることのできる他の弾性部材の例を示す、図７と同様の図である。
【図９】図１のルーズリーフ綴具が有するロック手段を示す部分拡大斜視図である。
【図１０】他のロック手段を示す、一方の基板の部分拡大側面図、断面図及び背面図である。
【図１１】図１０の他のロック手段を示す、他方の基板の部分拡大側面図、断面図及び背面図である。
【図１２】図１０及び１１の他のロック手段を示す、ルーズリーフ綴具の背面図及び、その部分拡大図である。
【図１３】図１のルーズリーフ綴具の横断面図及び、半リング部分が開放位置に移動した状態での同様の図である。
【図１４】図１のルーズリーフ綴具を、半リング部分の開放状態及び閉鎖状態のそれぞれで示す斜視図である。
【図１５】従来のルーズリーフ綴具を示す正面図及び側面図である。
【発明を実施するための形態】
【００１７】
以下に図面を参照しつつ、この発明の実施の形態について詳細に説明する。
図１及び２に例示するルーズリーフ綴具１は、一方向に向けて延びる略矩形断面の棒状をなす一方の基板２ａと、一方の基板２ａと平行する向きで隣り合わせに配置した他方の基板２ｂと、それらの基板２ａ、２ｂのそれぞれの外側部Ｓに形成されて、その外側部Ｓから基板２ａ、２ｂの正面Ｆ（図１では上面）側に実質的に半円環状に延びる複数対、図では八対の半リング部分３ａ、３ｂとを具えてなる。
なお好ましくは、基板２ａ、２ｂ及び半リング部分３ａ、３ｂは、樹脂材料で形成したプラスチック製のものとする。
【００１８】
ここにおいて、図示しないルーズリーフ等の用紙に設けられる複数個の貫通穴のそれぞれに挿入されて、当該用紙を係留させるべく機能する半リング部分３ａ、３ｂは、それらを形成した基板２ａ、２ｂの回動変位に伴い、先端部４ａ、４ｂが互いに接近して、図１に示すようにリング形状を形成する閉鎖位置と、先端部４ａ、４ｂが互いに離隔する開放位置との間を移動可能に構成される。
それにより、半リング部分３ａ、３ｂの開放位置では、用紙の着脱を行うことができるとともに、半リング部分３ａ、３ｂの閉鎖位置では、該用紙を綴じ込んで保持することができる。
【００１９】
このような半リング部分３ａ、３ｂの開放位置と閉鎖位置との間の移動をもたらす基板２ａ、２ｂの回動変位を実現するため、この発明では、少なくとも一方の基板２ａの裏面（図１では下面）Ｂに、その裏面Ｂから一定の間隔をおいて基板２ａ、２ｂと平行に延びる両端固定シャフト５を、一方の基板２ａと一体に設ける。また、他方の基板２ｂの裏面Ｂには、基板２ａ、２ｂの長手方向で前記の両端固定シャフト５の配設位置と対応する隣接位置に、両端固定シャフト５の周囲を、その周方向の一部を除いて取り囲むシャフト把持部６を、他方の基板２ｂと一体に設ける。
そしてここでは、他方の基板２ｂのシャフト把持部６を、図３に横断面図で示すように、一方の基板２ａの両端固定シャフト５にその周囲を囲繞して嵌め込むことにより、両基板２ａ、２ｂを相互に連結するとともに、シャフト把持部６が両端固定シャフト５の周りで相対的に摺動変位可能として、基板２ａ、２ｂを、その両端固定シャフト５の周りで回動変位させることができる。
【００２０】
このことによれば、基板２ａ、２ｂのそれぞれに一体形成した両端固定シャフト５及びシャフト把持部６によって、基板２ａ、２ｂの回動変位が可能になるので、従来技術のような、基板の長手方向の略全長にわたる金属製等の軸部材を別途設けることが不要になり、それにより、部材点数を減らすことができる。
その結果として、ルーズリーフ綴具１を容易に組み立てることができ、大量生産する場合等の製造能率を有効に向上できる他、金属製の軸部材の製造にかかる材料コストを低減させることができる。
【００２１】
ここで、図示のルーズリーフ綴具１では、一方の基板２ａのみならず他方の基板２ｂにも両端固定シャフト５を設け、また、それに対応させて、一方の基板２ａにも、シャフト把持部６を設けている。
この場合、一方の基板だけに両端固定シャフトを設けるとともに他方の基板だけにシャフト把持部を設ける場合に比して、基板２ａ及び２ｂの相互連結及び、それらの回動変位を安定して行わせることができる点で好適である。
【００２２】
またここで、図示のルーズリーフ綴具１では、いずれの基板２ａ、２ｂも、その長手方向の中央域を隔てた一方側に、一本以上の両端固定シャフト５を設け、また、長手方向の他方側に、一個以上のシャフト把持部６を設けている。さらにここでは、長手方向の中央域を隔てて位置するそれらの両端固定シャフト５とシャフト把持部６の配設本数ないし個数を、互いに等しい数（たとえば三本ないし三個）とし、一方の基板２ａと他方の基板２ｂを同一の形状とする。
この構成によれば、たとえば、単一のキャビティ形状を有する射出成形用金型等によって、一方の基板２ａと他方の基板２ｂの両基板を成形することができ、製造コストの増大を防止することができる。
【００２３】
但し、この発明は、以上に述べた両端固定シャフト５とシャフト把持部６の配設態様に限定されない。つまり、少なくとも一方の基板に一個以上の両端固定シャフトを設けるとともに、他方の基板に、対応する一個以上のシャフト把持部を設けたものであればよい。
たとえば、この発明には、図示は省略するが、先述したように、一方の基板に両端固定シャフトだけを設けるとともに他方の基板にシャフト把持部だけを設けたものや、両基板のそれぞれに、その長手方向で両端固定シャフトとシャフト把持部とを交互に設けたもの等が含まれ得る。
【００２４】
両端固定シャフト５は、たとえば、図４に一方の基板２ａだけを示すところから解かるような態様にて、基板２ａと一体に設けることができる。すなわち、図示の実施形態では、基板２ａの裏面Ｂに、基板２ａの長手方向と平行な軸線を有する円柱状等の隆起部７の複数個を、互いに一定の間隔で一体的に形成し、そして、それらの隆起部７の間に、隆起部７よりも小径の円形断面を有する棒状の両端固定シャフト５を、該隆起部７と同軸配置するとともに、両端固定シャフト５の両端のそれぞれを、各隆起部７の端面７ａに一体的に固定している。他方の基板２ｂに両端固定シャフト５を設ける場合も、図５に示すように、これと同様な態様で、両端固定シャフト５を基板２ｂと一体に形成することができる。
両端固定シャフト５は、基板２ａ、２ｂの長手方向と平行に延びる部分を有し、その両端が基板２ａないし２ｂと一体に固定されるものであれば、隆起部７の配設は必ずしも必要ではない。
【００２５】
また、この実施形態では、シャフト把持部６は、たとえば円筒等の筒状をなすものとし、この筒状のシャフト把持部６の側壁には、図４に示すように、基板２ａ、２ｂの長手方向と平行なその軸線方向の全長にわたって延びるスリット６ａを設けている。
筒状のシャフト把持部６のこのスリット６ａは、シャフト把持部６に両端固定シャフト５を嵌め込む際に、両端固定シャフト５が通過することのできる幅寸法とする。たとえば、シャフト把持部６がある程度の弾性変形を許容されるプラスチック等の材料からなる場合は、スリット６ａの幅は、円形断面を有する棒状の両端固定シャフト５の直径より小さくすることもできる。シャフト把持部６のスリット６ａは、両端固定シャフト５からのシャフト把持部６の意図しない外れを防止するとの観点からは、図示のように、そのシャフト把持部６を設けた基板２ａもしくは２ｂの外側面Ｓ側の位置に設け、その外側面Ｓ側に開口させることが好ましい。
なお、上述した隆起部７ないしシャフト把持部６の外周面には、材料コストの低減、軽量化その他の目的で、貫通する又は貫通しない穴部を設けることができる。
【００２６】
このようなルーズリーフ綴具１では、半リング部分３ａ及び３ｂのそれぞれを、基板２ａ及び２ｂのそれぞれとは別個の部材として、基板２ａ、２ｂの成形後に、それらの各基板２ａ及び２ｂに固定することも可能であるが、部材点数をさらに低減させるため、各半リング部分３ａ及び３ｂもまた各基板２ａ及び２ｂに一体に形成することが好ましい。
この場合は、一方の基板２ａ並びに、該基板２ａに一体形成された半リング部分３ａ及び両端固定シャフト５ないしシャフト把持部６を有する一方のプレート部材８ａと、他方の基板２ｂ並びに、該基板２ｂに一体形成された半リング部分３ａ及びシャフト把持部６ないし両端固定シャフト５を有する他方のプレート部材８ｂとを、射出成形等によって形成した後、それらの樹脂製の両プレート部材８ａを相互に組み合せることで、ルーズリーフ綴具１を少ない部材点数で、より一層容易に製造することができる。
【００２７】
この発明では、図示の実施形態のように、二枚の基板２ａ、２ｂを、それらの対をなす半リング部分３ａ及び３ｂが互いに離隔する向きに付勢する弾性部材９を設けることができる。それにより、半リング部分３ａ、３ｂの開閉操作を容易に行い得るものとして、操作性を向上させることができる。
【００２８】
この弾性部材９は、図６（ａ）及び（ｂ）に正面図及び平面図で例示するように、軸線方向に沿って複数回にわたって螺旋状に巻回した金属製等の巻き線からなる本体部９ａと、その本体部９ａの軸線方向の両端部の巻始端及び巻終端のそれぞれをコイル外周よりも半径方向外側に向けて略直線上に延長させてなるそれぞれの脚部９ｂ、９ｃを設けたコイルばね、いわゆるねじりコイルばねとすることが好適である。
このようなねじりコイルばね９を設ける場合は、たとえば、基板２ａ、２ｂの長手方向の中央域で基板２ａ、２ｂの裏面Ｂ側に、図７に示すように、ねじりコイルばね９を、その中心軸線が基板２ａ、２ｂの長手方向と平行する向きで位置させ、そして、各基板２ａ及び２ｂの内側面に形成した溝部のそれぞれに、ねじりコイルばね９の脚部９ｂ及び９ｃのそれぞれを入れ込むことにより配置することができる。
【００２９】
弾性部材は、上述したようなねじりコイルばねの他、図８に示すように、脚部なしのコイルばね１９等とすることも可能である。かかる脚部なしのコイルばねであっても、実際の使用状態では、後述するようなロック手段を解除すると、半リング部分３ａ、３ｂに係留させたルーズリーフ用紙や表紙等の自重によって、半リング部分３ａ、３ｂは開放位置へ自動的に移動することになる。
なおここでは、コイルばね等の弾性部材９を保持するため、弾性部材９の配設域に隣接する隆起部７のそれぞれに、その端面から突出して、図示のような基板２ａ、２ｂの相互を隣接配置した状態で、互いに対向する向きに延びる片持ち姿勢の位置決めロッド７ｂのそれぞれを設けている。この場合、弾性部材９の内側に延びる各位置決めロッド７ｂにより、弾性部材９を保持することができ、そして、隆起部７は、弾性部材９のばね受け部としても機能することになる。
【００３０】
また、この発明では、対をなす半リング部分３ａ、３ｂの相互を閉鎖位置で拘束する様々な形態のロック手段を設けることもできる。
かかるロック手段の一例として、この実施形態では、図９に示すような、基板２ａ、２ｂ側に設けるプレートロック手段１０を採用している。
【００３１】
このプレートロック手段１０は具体的には、一方の基板２ａの表面Ｆに設けた、他の領域に比して幾分段下がりの窪地領域に、該窪地領域から盛り上がった状態で、他方の基板２ｂ側に向けて突出するとともにその途中で基板２ａ、２ｂの長手方向に沿う向きに折れ曲がるＬ字状の屈曲アーム部分１０ａと、他方の基板２ｂの表面Ｆに設けた同様の窪地領域に、その窪地領域から隆起するアーム留め部分１０ｂとで構成したものである。
そして、たとえば、アーム留め部分１０ｂの、一方の基板２ａ側に位置する面を、その一方の基板２ａ側に向けて窪地領域からの隆起高さが漸減する傾斜面に形成すること等により、図９（ａ）に示す半リング部分３ａ、３ｂの開放位置から基板２ａ、２ｂを回動変位させると、図９（ｂ）に示すように、屈曲アーム部分１０ａが、自身の弾性変形を伴いつつ、アーム留め部分１０ｂを乗り越えて、アーム留め部分１０ｂに係合することになり、基板２ａ、２ｂの相互を半リング部分３ａ、３ｂの閉鎖位置でロックすることができる。
【００３２】
上記のプレートロック手段１０によるロックを解除する場合は、基板２ａ、２ｂの相互を、先述したようなコイルばねその他の弾性部材９の長手方向の付勢力に抗して、図９（ｃ）に矢印で示すように、長手方向に沿って相対変位させることで、屈曲アーム部分１０ａをアーム留め部分１０ｂから外すことにより行うことができる。
このような基板２ａ、２ｂの相対変位を可能にするため、シャフト把持部６の軸線方向長さＬｈは、基板２ａ、２ｂを相対変位させる距離に応じて、図示の実施形態のように、両端固定シャフト５の軸線方向長さＬｓに比して短くすることができる。
なおここで、プレートロック手段１０は、たとえば、基板２ａ、２ｂの長手方向で、互いに隣接する半リング部分３ａ、３ｂの間に一箇所以上設けることができる。また、一方の基板２ａ側にアーム留め部分１０ｂを設け、他方の基板２ｂ側に屈曲アーム部分１０ａを設けることも可能である。
【００３３】
この他のロック手段として、上記のプレートロック手段１０とともに、又は該プレートロック手段１０に代えて、図１０及び図１１に例示するように、一方の基板２ａもしくは他方の基板２ｂ側のシャフト把持部６もしくは隆起部７に突起部分２０ａを設けるとともに、他方の基板２ｂもしくは一方の基板２ａ側の隆起部７もしくはシャフト把持部６に突起係合部分２０ｂを設けることができる。
【００３４】
図１０に示す突起部分２０ａは、一方の基板２ａに一体形成したシャフト把持部６の端面６ｂに、その端面６ｂの周方向の一部で端面６ｂから突出するものであって、図１０（ｃ）に示すところから解かるように、該端面６ｂに対して傾斜する傾斜面と、シャフト把持部６の軸線方向に沿って直立する当接面とを有する。
また図１１に示す突起係合部分２０ｂは、他方の基板２ａに一体形成した隆起部７の端面７ａのうち、基板２ａ、２ｂの組立状態で、上記の突起部分２０ａを設けたシャフト把持部６の端面６ｂに対向する端面７ａに、その端面７ａの一部をくり貫いて形成されて、該端面７ａから窪む形状をなす。そして、ここでは窪み状の突起係合部分２０ｂは、図１１（ｃ）に示すように、円柱状の隆起部７の軸線方向に沿う段差状の当接面を有する。
【００３５】
図１０及び図１１に示すロック手段によれば、半リング部分３ａ、３ｂの開放位置から、半リング部分３ａ、３ｂを閉鎖位置に移動させるべく、基板２ａ、２ｂを回動変位させると、他方の基板２ｂの隆起部端面７ａが、一方の基板２ａのシャフト把持部端面６ｂに設けた突起部分２０ａの前記傾斜面上を摺動した後、図１２に綴具１の背面図で示すように、他方の基板２ｂ側の隆起部端面７ａに設けた突起係合部分２０ｂの前記当接面と、一方の基板２ａ側の突起部分２０ａの前記当接面とが接触し、そこで、半リング部分３ａ、３ｂが開く方向への両基板２ａ、２ｂの回動変位が制限されてロックされることになる。
また、このロック手段では、半リング部分３ａ、３ｂを閉鎖位置から開放位置へ移動させる場合は、基板２ａ、２ｂを相対的に長手方向に沿って変位させることにより、上記の突起部分２０ａ及び突起係合部分２０ｂのそれぞれの当接面の接触状態が解除されて、ロックを外すことができる。
【００３６】
なお、このようなルーズリーフ綴具１では、半リング部分３ａ、３ｂが、図１３（ａ）に示す閉鎖位置から、図１３（ｂ）に示す開放位置まで移動した際に、半リング部分３ａ、３ｂが最も大きく開いたその開放位置での、対をなす半リング部分３ａ、３ｂの開き角度θを、両端固定シャフト５の中心軸線の周りで測って、９０°〜１８０°の範囲とすることが好ましい。開き角度θを、この範囲内とすることで、図示しないルーズリーフ用紙の、綴具１に対する着脱を、何の不自由もなしに行うことができるとともに、半リング部分３ａ、３ｂの開放位置での、ルーズリーフ用紙の意図しない外れを有効に防止することができる。
【００３７】
半リング部分３ａ、３ｂの上述したような開き角度θを規制するため、たとえば、図５（ｂ）並びに図１３（ａ）及び（ｂ）に示すところから解かるように、隆起部７の外周面及び／又はシャフト把持部６の外周面に、その外周面から突出する姿勢の少なくとも一個のストッパー凸部１２を設けることができる。かかるストッパー凸部１２は、複数個の隆起部７及びシャフト把持部６のうちの任意の箇所に任意の個数で設けることができるが、図示の実施形態では、図５（ｂ）に示すように、一つおきの二個の隆起部７のそれぞれに二個のストッパー凸部１２を設けている。あるいは、図示は省略するが、各基板２ａ、２ｂに設けられる円筒状の摘み部分１１ａ、１１ｂのそれぞれの外周面に、ストッパー凸部を設けることも可能である。
【００３８】
他方の基板２ｂ側の隆起部７にストッパー凸部１２を設けたこの実施形態では、ストッパー凸部１２は、図１３（ｂ）に示すように、半リング部分３ａ、３ｂが開放位置へ移動する際に、一方の基板２ａの裏面Ｂに当接することで、半リング部分３ａ、３ｂが所定の開き角度θを超えて開くことのないように規制するべく機能する。
なお、ストッパー凸部１２の形状として、隆起部７の外周面及び／又はシャフト把持部６の外周面からの突出高さは、規制する開き角度θの大きさに応じて決定することができ、また、ストッパー凸部１２の、基板２ａもしくは２ｂへの当接箇所は、その基板の裏面に整合する平坦面とすることができる。
【００３９】
以上に述べたルーズリーフ綴具１を操作するに当たっては、図１４（ａ）に示すように、半リング部分３ａ、３ｂが閉鎖位置にある状態で、たとえば、それぞれの基板２ａ、２ｂの長手方向の端部に設けたそれぞれの摘み部分１１ａ、１１ｂを摘まんで、上述したように、ねじりコイルばね９の軸線方向の付勢力に抗して、二枚の基板２ａ、２ｂの相互を長手方向に沿って相対変位させて、プレートロック手段１０による基板２ａ、２ｂの拘束姿勢を解除する。
それにより、ねじりコイルばね９の脚部９ｂ、９ｃによって付勢される基板２ａ、２ｂは、各両端固定シャフト５を把持する各シャフト把持部６がそれぞれの両端固定シャフト５の周りに摺動変位するに伴い、両端固定シャフト５の周りで自動的に回動変位することになる。
その結果、図１４（ｂ）に示すように、対をなす半リング部分３ａ、３ｂは、基板２ａ、２ｂの上記の回動変位とともに、それらの先端部４ａ、４ｂが相互に離隔して、開放位置に移動して、ルーズリーフ綴具１が開いた状態となる。この状態で、ルーズリーフ綴具１に対する用紙の着脱を行うことができる。
【００４０】
そして、図１４（ｂ）に示すように、半リング部分３ａ、３ｂが開放位置にある状態では、摘み部分１１ａ、１１ｂを摘まんで、基板２ａ、２ｂを両端固定シャフト５の周りで回動変位させると、プレートロック手段１０の屈曲アーム部分１０ａがアーム留め部分１０ｂを乗り越えてロックされて、半リング部分３ａ、３ｂを、図１４（ａ）に示すような閉鎖位置で維持させることができる。この状態では、半リング部分３ａ、３ｂに係留させた用紙が、円環状をなす半リング部分３ａ、３ｂに保持されて綴じ込まれる。
【符号の説明】
【００４１】
１  ルーズリーフ綴具
２ａ、２ｂ  基板
３ａ、３ｂ  半リング部分
４ａ、４ｂ  先端部
５  両端固定シャフト
６  シャフト把持部
６ａ  スリット
６ｂ  シャフト把持部の端面
７  隆起部
７ａ  隆起部の端面
７ｂ  位置決めロッド
８ａ、８ｂ  プレート部材
９  弾性部材（ねじりコイルばね）
１９  コイルばね
１０  プレートロック手段
１０ａ  屈曲アーム部分
１０ｂ  アーム留め部分
２０ａ  突起部分
２０ｂ  突起係合部分
１２  ストッパー凸部
Ｌｓ  両端固定シャフトの軸線方向長さ
Ｌｈ  シャフト把持部の軸線方向長さ
Ｆ  基板の表面
Ｓ  基板の外側部
Ｂ  基板の裏面
θ  半リング部分の開き角度
【図１】
2015199301.tif 000003
【図２】
2015199301.tif 000004
【図３】
2015199301.tif 000005
【図４】
2015199301.tif 000006
【図５】
2015199301.tif 000007
【図６】
2015199301.tif 000008
【図７】
2015199301.tif 000009
【図８】
2015199301.tif 000010
【図９】
2015199301.tif 000011
【図１０】
2015199301.tif 000012
【図１１】
2015199301.tif 000013
【図１２】
2015199301.tif 000014
【図１３】
2015199301.tif 000015
【図１４】
2015199301.tif 000016
【図１５】
2015199301.tif 000017
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、それぞれの先端部が互いに離隔する開放位置との間で移動可能としたルーズリーフ綴具であって、
少なくとも一方の基板の裏面に、該裏面から間隔をおいて前記基板と平行に延びる一本以上の両端固定シャフトを一体に設けるとともに、他方の基板の裏面で、前記一方の基板の前記両端固定シャフトに隣接する位置に、該両端固定シャフトの周囲を該両端固定シャフトの周方向の一部を除いて取り囲む一個以上のシャフト把持部を一体に設け、前記シャフト把持部で把持させた前記両端固定シャフトの周りで、二枚の基板を回動変位可能とし、
少なくとも一方の基板の裏面に、前記両端固定シャフトのそれぞれの端部が一体的に固定される二個以上の隆起部を一体に設け、
一方の基板側及び／又は他方の基板側の前記隆起部及び／又は前記シャフト把持部の外周面に、該外周面から突出して、半リング部分の開放位置で他方の基板又は一方の基板の裏面に当接するストッパー凸部を一箇所以上設けてなる、ルーズリーフ綴具。
【請求項２】
互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、それぞれの先端部が互いに離隔する開放位置との間で移動可能としたルーズリーフ綴具であって、
少なくとも一方の基板の裏面に、該裏面から間隔をおいて前記基板と平行に延びる一本以上の両端固定シャフトを一体に設けるとともに、他方の基板の裏面で、前記一方の基板の前記両端固定シャフトに隣接する位置に、該両端固定シャフトの周囲を該両端固定シャフトの周方向の一部を除いて取り囲む一個以上のシャフト把持部を一体に設け、前記シャフト把持部で把持させた前記両端固定シャフトの周りで、二枚の基板を回動変位可能とし、
少なくとも一方の基板の裏面に、前記両端固定シャフトのそれぞれの端部が一体的に固定される二個以上の隆起部を一体に設け、
前記シャフト把持部又は前記隆起部の端面に、該端面から突出する突起部分を設け、該突起部分を設けた前記シャフト把持部又は前記隆起部に隣接する隆起部又はシャフト把持部の、前記突起部分に対向する端面に、半リング部分の閉鎖位置で前記突起部分に係合する突起係合部分を設けてなる、ルーズリーフ綴具。
【請求項３】
前記シャフト把持部を筒状とし、該筒状のシャフト把持部の側壁に、該シャフト把持部の軸線方向の全長にわたるスリットを設け、該スリットを介して、前記両端固定シャフトが前記シャフト把持部に嵌め込まれてなる、請求項１又は２に記載のルーズリーフ綴具。
【請求項４】
前記一方の基板に、両端固定シャフト及びシャフト把持部のそれぞれを設け、前記他方の基板に、前記一方の基板の両端固定シャフト及びシャフト把持部のそれぞれと係合させたシャフト把持部及び両端固定シャフトのそれぞれを設けてなる、請求項１〜３のいずれか一項に記載のルーズリーフ綴具。
【請求項５】
各基板に前記半リング部分を一体に形成してなるプレート部材の二個を組み合わせて構成される、請求項１〜４のいずれか一項に記載のルーズリーフ綴具。
【請求項６】
前記基板の裏面側に、二枚の基板の相互を、対をなす前記半リング部分が互いに離隔する方向に付勢する弾性部材を配置し、前記一方の基板及び前記他方の基板のそれぞれに、それらの基板を隣り合わせに配置した姿勢で、該基板の長手方向に沿って互いに対向する向きに延びて前記弾性部材を位置決め保持する位置決めロッドのそれぞれを一体に設けてなる、請求項１〜５のいずれか一項に記載のルーズリーフ綴具。
【請求項７】
前記弾性部材を、二枚の基板の相互を付勢する脚部を有するコイルばねとしてなる、請求項６に記載のルーズリーフ綴具。
【請求項８】
二枚の基板のそれぞれの表面に、基板の回動変位を対をなす半リング部分の閉鎖位置で拘束する一箇所以上のプレートロック手段を設けてなる、請求項１〜７のいずれか一項に記載のルーズリーフ綴具。
【手続補正２】
【補正対象書類名】明細書
【補正対象項目名】０００９
【補正方法】変更
【補正の内容】
【０００９】
この発明のルーズリーフ綴具は、互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、それぞれの先端部が互いに離隔する開放位置との間で移動可能としたものであって、少なくとも一方の基板の裏面に、該裏面から間隔をおいて前記基板と平行に延びる一本以上の両端固定シャフトを一体に設けるとともに、他方の基板の裏面で、前記一方の基板の前記両端固定シャフトに隣接する位置に、該両端固定シャフトの周囲を該両端固定シャフトの周方向の一部を除いて取り囲む一個以上のシャフト把持部を一体に設け、前記シャフト把持部で把持させた前記両端固定シャフトの周りで、二枚の基板を回動変位可能とし、少なくとも一方の基板の裏面に、前記両端固定シャフトのそれぞれの端部が一体的に固定される二個以上の隆起部を一体に設け、一方の基板側及び／又は他方の基板側の前記隆起部及び／又は前記シャフト把持部の外周面に、該外周面から突出して、半リング部分の開放位置で他方の基板又は一方の基板の裏面に当接するストッパー凸部を一箇所以上設けてなるものである。
また、この発明の他のルーズリーフ綴具は、互いに平行する向きで隣り合わせに配置した二枚の基板と、それらの基板のそれぞれに形成され、該基板の表面側に延びて相互に共同してリング形状をなす複数対の半リング部分とを具えてなり、各基板の回動変位により、複数対の半リング部分を、対をなす該半リング部分のそれぞれの先端部が互いに近接してリング形状を形成する閉鎖位置と、それぞれの先端部が互いに離隔する開放位置との間で移動可能としたものであって、少なくとも一方の基板の裏面に、該裏面から間隔をおいて前記基板と平行に延びる一本以上の両端固定シャフトを一体に設けるとともに、他方の基板の裏面で、前記一方の基板の前記両端固定シャフトに隣接する位置に、該両端固定シャフトの周囲を該両端固定シャフトの周方向の一部を除いて取り囲む一個以上のシャフト把持部を一体に設け、前記シャフト把持部で把持させた前記両端固定シャフトの周りで、二枚の基板を回動変位可能とし、少なくとも一方の基板の裏面に、前記両端固定シャフトのそれぞれの端部が一体的に固定される二個以上の隆起部を一体に設け、前記シャフト把持部又は前記隆起部の端面に、該端面から突出する突起部分を設け、該突起部分を設けた前記シャフト把持部又は前記隆起部に隣接する隆起部又はシャフト把持部の、前記突起部分に対向する端面に、半リング部分の閉鎖位置で前記突起部分に係合する突起係合部分を設けてなるものである。
【手続補正３】
【補正対象書類名】明細書
【補正対象項目名】００１４
【補正方法】削除
【補正の内容】